【誤訳訂正書】
【提出日】平成16年12月1日(2004.12.1)
【誤訳訂正１】
【訂正対象書類名】明細書
【訂正対象項目名】全文
【訂正方法】変更
【訂正の内容】
【書類名】        明細書
【発明の名称】    移動デバイスの無線活性化のために一時的電子シリアル番号を用いるシステムおよび方法
【特許請求の範囲】
【請求項１】
着脱可能な識別カードを有する移動デバイスの無線活性化を、一時的電子シリアル番号を用いて行うワイヤレス・システムであって、
無線インターフェースを介して前記移動デバイスと通信する基地局と、
前記基地局と通信する移動交換局と、
前記移動交換局と通信するホーム・ロケーション・レジスタと、
前記移動交換局および前記ホーム・ロケーション・レジスタと通信する前記着脱可能識別カードを有した前記移動デバイスを、活性化する第１プロセッサと、
を備え、前記着脱可能識別カードを有する前記移動デバイスが前記ワイヤレス・システムに登録するとき、前記ホーム・ロケーション・レジスタが前記第１プロセッサに、前記一時的電子シリアル番号に応じて前記移動デバイスを活性化するように通報すること、を特徴とするワイヤレス・システム。
【請求項２】
請求項１記載のワイヤレス・システムにおいて、前記ワイヤレス・システムがＡＮＳＩプロトコルに準拠すること、を特徴とするワイヤレス・システム。
【請求項３】
請求項２記載のワイヤレス・システムにおいて、前記ホーム・ロケーション・レジスタが、前記第１プロセッサまたは第２プロセッサの一方に、前記移動デバイスが前記一時的電子シリアル番号を送信したか否かに基づいて、前記移動デバイスを活性化することを通報すること、を特徴とするワイヤレス・システム。
【請求項４】
請求項３記載のワイヤレス・システムにおいて、電子シリアル番号／移動識別番号を用いて前記移動デバイスを識別した場合、前記第２プロセッサが前記移動デバイスを活性化すること、を特徴とするワイヤレス・システム。
【請求項５】
請求項４記載のワイヤレス・システムにおいて、前記移動デバイスが着脱可能識別カードを内蔵していない場合、前記ホーム・ロケーション・レジスタが前記第２プロセッサに前記移動デバイスを活性化するように通報すること、を特徴とするワイヤレス・システム。
【請求項６】
着脱可能な識別カードを有する移動デバイスの無線活性化を、一時的電子シリアル番号を用いて行うワイヤレス・システムであって、
無線インターフェースを介して前記移動デバイスと通信する基地局と、
前記基地局と通信する移動交換局と、
前記移動交換局と通信するメッセージ・センタと、
前記移動交換局および前記メッセージ・センタと通信する前記着脱可能識別カードを有した前記移動デバイスを、活性化する第１プロセッサと、
を備え、前記着脱可能識別カードを有する前記移動デバイスが前記ワイヤレス・システムに登録するとき、前記メッセージ・センタが前記移動デバイスを着脱可能識別カードを内蔵するものとして識別し、そして前記第１プロセッサに、前記一時的電子シリアル番号に応じて前記移動デバイスを活性化するように通報すること、を特徴とするワイヤレス・システム。
【請求項７】
ワイヤレス・デバイスにおいてワイヤレス・ネットワークに登録するための加入者識別モジュールであって、
一時的活性化識別子と、
一時的電子シリアル番号と、
ワイヤレス・ネットワークへの登録中に、前記一時的電子シリアル番号を報告するように設定された少なくとも１つの使用指標と、
を備えた加入者識別モジュール。
【請求項８】
ワイヤレス・ネットワークにおけるホーム・ロケーション・レジスタであって、
移動デバイスから一時的電子シリアル番号を受信するステップと、
前記一時的電子シリアル番号を販売業者と関連付けるステップと、
活性化通知信号を加入者識別カード・モジュール無線活性化プロセッサに送信するステップと、
前記加入者識別カード・モジュール無線活性化プロセッサを用いて、前記ネットワーク上で前記移動デバイスを活性化するステップと、
を備えたプログラムを動作させる、ホーム・ロケーション・レジスタ。
【請求項９】
ワイヤレス・ネットワークにおいて、加入者識別モジュール（ＳＩＭ）を用いた移動デバイスを活性化する方法であって、
前記移動デバイスから一時的電子シリアル番号を受信し、
前記一時的電子シリアル番号を販売業者と関連付け、
活性化通知信号をＳＩＭ無線活性化プロセッサに送信し、
前記ＳＩＭ無線活性化プロセッサを用いて、前記ワイヤレス・ネットワーク上で前記移動デバイスを活性化すること、
を備えた活性化方法。
【請求項１０】
ワイヤレス・ネットワークによって、着脱可能な識別カードを有する移動デバイスの無線活性化を行う方法であって、
前記着脱可能識別カードに一時的電子シリアル番号を予めプログラムしておき、
活性化の間に前記一時的電子シリアル番号を用いて前記移動デバイスを識別すること、
を備えた無線活性化方法。
【請求項１１】
請求項１０記載の移動デバイスの無線活性化を行う方法であって、更に、前記一時的電子シリアル番号を用いて前記移動デバイスを識別した後に、前記移動デバイスの活性化手続きを呼び出すことを含む、方法。
【請求項１２】
請求項１１記載の移動デバイスの無線活性化を行う方法であって、更に、前記移動デバイスが、以後における前記ワイヤレス・ネットワークへの登録のために、実電子シリアル番号を送信することを含む、方法。
【請求項１３】
請求項１１記載の方法において、前記移動デバイスの活性化手続きを呼び出すことは、更に、前記移動デバイスの活性化プロセスを処理するように、着脱可能識別カード無線活性化プロセッサに通知することを含む、方法。
【請求項１４】
請求項１１記載の方法であって、更に、登録の間、前記活性化識別子と活性化電子シリアル番号を前記カード識別子として送ることを含む、方法。
【請求項１５】
請求項１４記載の方法において、前記移動デバイスの前記活性化手続きを呼び出すことは、更に、前記ワイヤレス・ネットワークが、前記活性化電子シリアル番号に関連付けられた着脱可能カード販売業者を特定することを含む、方法。
【請求項１６】
請求項１５記載の方法であって、更に、認証をバイパスすることを含む、方法。
【請求項１７】
請求項１６記載の方法であって、更に、前記着脱可能識別カードに一時的活性化識別子を予めプログラムすることを含む、方法。
【請求項１８】
請求項１７記載の方法であって、更に、前記着脱可能識別カードに、登録の間に前記一時的電子シリアル番号を報告するように設定した使用指標を予めプログラムすることを含む、方法。
【請求項１９】
請求項１８記載の方法であって、更に、前記移動デバイスの活性化が完了した後、前記一時的活性化識別子を上書きすることを含む、方法。
【請求項２０】
無線で移動デバイスを活性化する方法であって、前記移動デバイスがＳＩＭに関連する識別子を送信したか否かに依存して、第１活性化プロセッサまたは第２活性化プロセッサの一方を用いる、前記の活性化方法において、
一時的活性化識別子を用いて、ワイヤレス・ネットワークへの登録を要求し、
一時的加入者プロファイルを作成し、
ＳＩＭに関連する前記識別子が報告されていたか否か判定を行い、
前記ＳＩＭに関連する識別子が報告されていなかった場合、前記第１活性化プロセッサに無線活性化を実行するように通知し、
前記ＳＩＭに関連する識別子が報告されていた場合、
認証のバイパスが許される場合、認証をバイパスし、
前記第２活性化プロセッサに無線活性化を実行するように通知すること、
を備えた活性化方法。
【請求項２１】
請求項２０記載の方法において、前記第２活性化プロセッサに無線活性化を実行するように通知することは、前記ＳＩＭに関連する識別子に基づく、方法。
【請求項２２】
請求項２１記載の方法において、前記ＳＩＭに関連する識別子がＳ−ＥＳＮである、方法。
【請求項２３】
請求項２２記載の方法において、前記第１プロセッサが、ＥＳＮまたはＭＩＮに関連した移動デバイスの無線活性化を行うことが可能である、方法。
【請求項２４】
請求項２３記載の方法において、前記第２プロセッサが、ＳＩＭを伴う移動デバイスの無線活性化を行うことが可能である、方法。
【請求項２５】
移動デバイスにおける電子シリアル番号（ＥＳＮ）使用指標を無線活性化のために用いる方法であって、
前記移動デバイスに対し、どのＥＳＮをワイヤレス・ネットワークに送るべきかを指令するように、前記ＥＳＮ使用指標をプログラムし、
前記ＥＳＮ使用指標に基づいて、登録の間に、報告および認証のためにＳＩＭ−ＥＳＮを送信すること、
を備えた方法。
【請求項２６】
請求項２５記載の方法であって、更に、
登録の後、報告のためにＥＳＮを送信するように、前記移動デバイスをプログラムし直すことを含む、方法。
【請求項２７】
請求項２６記載の方法において、前記移動デバイスに対し、どのＥＳＮをワイヤレス・ネットワークに送るかを指令するように、前記ＥＳＮ使用指標をプログラムすることは、前記ＥＳＮ使用指標をｂ２＝１およびｂ１＝１と設定することを更に含む、方法。
【請求項２８】
請求項２７記載の方法において、前記移動デバイスをプログラムし直すことは、前記ＥＳＮ使用指標をｂ２＝０およびｂ１＝１と設定することを更に含む、方法。
【請求項２９】
請求項２８記載の方法において、前記移動デバイスをプログラムし直すことは、前記ＥＳＮ使用指標をｂ２＝０およびｂ１＝０と設定することを更に含む、方法。
【発明の詳細な説明】
【０００１】
（発明の背景）
１．発明の分野
本発明は、ＰＣＳ型ワイヤレス・ネットワークにおいて移動デバイスを活性化するシステムおよび方法に関し、更に具体的には、ＰＣＳ型ワイヤレス・ネットワークにおいてＳＩＭ使用移動デバイス(SIM-based mobile device)を識別し活性化するシステムおよび方法に関する。
（関連技術の説明）
セルラ電話機、パーム・パイロット(palm pilot)等のような移動デバイスの新たなユーザは、いくつかの方法で彼らの移動デバイスをワイヤレス・ネットワークに登録し活性化することができる。移動デバイスをワイヤレス・ネットワークに登録するやり方の１つは、個人的にサービス・プロバイダと会い、ワイヤレス・デバイスを購入するかまたは受け取り、サービス・プロバイダに、個人および移動デバイス識別に関する活性化データを、ワイヤレス・ネットワークに入力してもらうことである。このようにすれば、ユーザが移動デバイスを使い始めるときには、ワイヤレス・ネットワークはユーザおよび移動デバイスを認識し、ユーザに発呼することおよびデータを伝達することを許可する。
【０００２】
前述の手続きは、移動通信システム用グローバル・システム（ＧＳＭ）において用いられている。ＧＳＭシステムでは、国際移動加入者アイデンティティ（ＩＭＳＩ：international mobile subscriber identity）が加入者アイデンティティ・モジュール（ＳＩＭ：subscriber identity module）内に据え付けられており、通信事業者のシステムは、取付または登録プロセスが完了した後にワイヤレス・デバイスによって報告されるＩＭＳＩを記録する。
【０００３】
移動デバイスをワイヤレス・ネットワークに登録し活性化することをユーザに許可する別の方法は、無線活性化（ＯＡＡ：over-the-air activation）を用いる。この方法では、移動デバイスを最初に用いるときに、当該ワイヤレス・デバイス上に格納されている一時的識別データを用いて、ワイヤレス・ネットワークに対して自らの身元を明らかにする。移動デバイスおよびワイヤレス・ネットワーク間における初期通信プロセスによって、移動デバイスをネットワークに登録し活性化することができるので、ユーザが実際にサービス・プロバイダと会う必要はない。
【０００４】
ＯＡＡを利用するワイヤレス・システムの１つに、ＡＮＳＩ−１３６／４１規格に準拠したネットワークがある。米国国家規格協会（ＡＮＳＩ）は、米国において自発的な規格化活動を調整する工業規格団体である。ＡＮＳＩ−１３６／４１ネットワークは、ＴＤＭＡ（時分割多元接続）ネットワークとしても知られており、一般には個人通信サービス（ＰＣＳ:personal communication service）ネットワークと呼ばれている。この開示に関して、ＰＣＳワイヤレス・ネットワークは、ＧＳＭネットワークに用いられるような、通例では無線ＳＩＭ使用移動デバイスをサポートしておらず、これを活性化することができない、いずれのワイヤレス・ネットワークも意味する場合もある。ＯＡＡを用いる別のワイヤレス・ネットワークには、高度移動電話システム（ＡＭＰＳ：advanced mobile phone system）がある。ＡＭＰＳシステムは、アナログ・セルラ電話の規格である。
【０００５】
ＴＤＭＡ／ＡＭＰＳワイヤレス・ネットワークは、移動識別番号（ＭＩＮ）を含む。これは、一時的であり、無線活性化プロセスにおいて上書きされる。ＡＮＳＩ−１３６／４１ネットワークでは、ＯＡＡを達成するには、移動デバイスがＭＩＮを用いて登録を行う。ＭＩＮは、移動デバイスの電話番号とすることができる。ＡＮＳＩ−１３６改訂Ａは、未プログラムの移動体の活性化ＭＩＮを、北アメリカ番号計画（ＮＡＮＰ：North American Numbering Plan）における000-Nxx-xxxxという形式にすることを指定している。このフォーマットは、相手側(another party)がダイアルする従来の１０桁電話番号と一致する。「０００」は区域コードであり、「Ｎｘｘ」は３桁の交換局番号であり、「ｘｘｘｘ」は４桁の拡張番号である。これによって、活性化ＭＩＮを識別し、無線プロセッサ（ＯＴＡＰ：over-the-air-processor）にルーティングして、当該移動デバイスをＡＮＳＩネットワーク上に一時的に登録することが可能になる。
【０００６】
これら２つの異なるワイヤレス・ネットワーク、ＧＳＭおよびＡＮＳＩ−１３６／４１は、登録／活性化プロセスに対して相互サポートを行っていない。例えば、ＳＩＭカードを用いる移動デバイスは、ＡＮＳＩ−１３６／４１システム上で登録および活性化しようとしても、認識されない。その理由は、２つのセルラ・システム間における登録、認証および活性化プロセスは異なるキーおよびアルゴリズムを用いるからである。ＴＤＭＡネットワークは現在ＳＩＭを用いる移動デバイスをサポートしていないので、これらのデバイスに対して無線活性化を実行するためには新たなＯＴＡＰ機能が必要となる。キオスクを通じてＳＩＭを自分で(manually)プログラムしたり、特殊なデバイスによって売場の係員にＳＩＭをプログラムしてもらうことができる。しかしながら、これらの仕組みは、プログラミング・デバイスへの何らかの物理的接続を必要とする。更に、ＧＳＭワイヤレス・ネットワーク内部におけるプログラミング手続きに関しても、手続きがＳＩＭカードの製造業者毎に異なる場合もある。
【０００７】
前述の登録／活性化プロセスについての短い説明は、「第２世代の」ワイヤレス・サービスと一般に呼ばれているものについてである。一般に、第２世代とは、音声単独サービスのことを言うが、ＡＮＳＩ−１３６ワイヤレス規格も意味する場合もある。移動デバイスが前述の技法をＯＡＡおよび登録のために用いると、移動デバイスはそれ自体を第２世代デバイスとして識別する。ワイヤレス・デバイスを介してインターネットへのアクセスを可能にするディジタル・データ・サービスの出現により、次世代、即ち、「第３世代」の移動デバイスおよびワイヤレス・ネットワークが開発されつつある。第３世代の移動デバイスを先のように認識し、第３世代のサービスを利用するためには、移動デバイスは、ＯＡＡ手続きにおいて、それが第３世代の移動デバイスであることを伝えなければならない。
（発明の摘要）
当技術分野において必要とされているのは、移動デバイスが第３世代の移動デバイスであることをネットワークに自ら明らかにする、無線活性化手続きである。更に、当技術分野では、ＳＩＭ使用移動デバイスをＡＮＳＩ−１３６／４１またはＰＣＳワイヤレス・ネットワークにおいて認識し、登録し、活性化することを可能にするシステムおよび方法が求められている。
【０００８】
これに応じて、本発明は、ＡＮＳＩ−１３６／４１またはＰＣＳワイヤレス・ネットワークが、登録プロセス中にＳＩＭ使用移動デバイスを認識することを可能とし、相応しいＯＡＡ手続きが移動デバイスのために呼び出せるようにする。
【０００９】
更に、本発明は、ネットワークがＰＣＳ仕様の制約内でＳＩＭカードの製造業者を特定できるようにする。
【００１０】
更に、本発明は、第３世代のワイヤレス・デバイスをＰＣＳネットワーク上で登録し活性化できるようにする。
【００１１】
加えて、本発明は、ワイヤレス・デバイス内に据え付けた状態で、ＳＩＭのプログラムまたは再プログラムを可能にする。
【００１２】
本発明の一実施形態による方法は、ＰＣＳワイヤレス・ネットワークにおいて、着脱可能なカードを有する移動デバイスの無線活性化を達成する。この方法は、一時的活性化識別子（ＴＡＩ）、ＳＩＭ電子シリアル番号（Ｓ−ＥＳＮ）、およびネットワーク使用指標フィールドを、着脱可能カードにプログラムすることを含む。ネットワーク使用指標フィールドは、登録の間に活性化識別子および電子シリアル番号を報告するように設定する。登録の間、移動デバイスは、活性化識別子およびＳＩＭ電子シリアル番号を、カード識別子としてワイヤレス・ネットワークに送信する。ネットワークは、ＳＩＭ電子シリアル番号を、移動デバイスおよび移動カードの販売業者に関連する一時的ＥＳＮとして識別する。この識別は、ホーム・ロケーション・レジスタ（ＨＬＲ）を用いて行うことが好ましいが、メッセージ・センタ（ＭＣ）において行ってもよい。ＨＬＲまたはＭＣは、Ｓ−ＥＳＮを通じて、この移動デバイスをＳＩＭデバイスとして識別し、ＯＡＡプロセスを進めるように、該当する販売業者ＳＩＭ無線活性化プロセッサ（ＳＯＴＡＰ）に通知する。次に、ネットワークは、この移動デバイスに対して無線活性化手続きを呼び出す。
【００１３】
次に、本方法は、認証手続きをバイパスし、後の登録のために実電子シリアル番号を移動デバイスに送る選択肢を備えている。認証をバイパスする選択肢によって、本発明をＧＳＭおよびＴＤＭＡワイヤレス・システム双方で用いることが可能となる。したがって、一方のワイヤレス・ネットワークが認証手続きをバイパスすることを許さない場合、認証を進めることができる。例えば、ＧＳＭシステムが認証を要求しても、他のワイヤレス・ネットワークは認証を任意とする場合もある。最後に、無線活性化プロセスを完了するために、本方法は、実ＥＳＮを後から送信するように使用指標を設定し、一時的活性化識別子を上書きすることを含む。
【００１４】
本発明の好適な実施形態による方法は、ＰＣＳネットワークが登録プロセスの間にＳＩＭの製造業者を特定し、当該ＳＩＭに対して相応しいＯＡＡ手続きを呼び出せることを保証する。このように、ＳＯＴＡＰはネットワーク上でＳＩＭ移動デバイスの登録／活性化を行うことができ、ＰＣＳ無線プロセッサは、ＳＩＭカードを用いないで、移動デバイスのＯＡＡを登録／活性化することができる。
【００１５】
本発明の好適な実施形態によるシステムは、移動デバイスと、無線インターフェースを介して移動デバイスと通信する基地局と、基地局と通信する移動交換局（ＭＳＣ）とを備えている。ホーム・ロケーション・レジスタ（ＨＬＲ）またはメッセージ・センタ（ＭＣ）が、ＭＳＣ、無線活性化プロセッサ（ＯＴＡＰ）、およびＳＩＭ無線活性化プロセッサ（ＳＯＴＡＰ）と通信する。ＯＴＡＰおよびＳＯＴＡＰは、各々、ＭＳＣおよびＨＬＲまたはＭＣと通信する。ＨＬＲまたはＭＣは、移動デバイスから送信されるＳ−ＥＳＮを識別し、認識して、ＳＯＴＡＰと通信する。ＳＯＴＡＰは、移動デバイスの活性化手続きを実行するように指令を受ける。移動デバイスがＭＩＮ／ＥＳＮまたはＡＮＳＩ−１３６規格を用いてネットワークに対して自らの身元を明らかにした場合、ＨＬＲはＯＴＡＰにネットワーク上で移動デバイスを活性化するように指令する。
【００１６】
ここに開示するネットワーク・システムによれば、ＰＣＳネットワークにおいて、ＳＩＭ使用移動デバイスおよびＭＩＮ／ＥＳＮ使用移動デバイス双方に対してＯＡＡを行うことができる。
（図面の簡単な説明）
本発明の実施形態は、添付図面を参照することによって理解することができる。
（発明の詳細な説明）
本発明は、ここに提示する詳細な説明によって理解することができよう。本発明の第１実施形態は、ワイヤレス・ネットワークにおいて移動デバイスの無線活性化を達成するシステムから成る。図１に示す移動デバイス１０は、外装ケース１２、アンテナ１６、ディスプレイ１４、およびＳＩＭ１８を有する。移動デバイス１０は、着脱可能なＳＩＭカード１８を内蔵しているので、ＰＣＳ系ワイヤレス・ネットワークにおいて従来より用いられている移動デバイスではない。移動デバイス１０の構造および動作に関連する詳細、キーボード、スピーカ、内部ロジック、Ｄ／Ａ変換器、ディジタル処理、変調チップ、増幅器等は図１には示されていないが、当業者には周知のことである。移動デバイス１０は、セルラ電話機、パーム・パイロット、ポータブル・コンピュータ等のような、公知の移動デバイスまたはこれから開発される移動デバイスのいずれでもよい。
【００１７】
ＳＩＭ１８は、国際移動局アイデンティティ（ＩＭＳＩ）や認証鍵のような、加入者特定情報を格納するために用いられる。ＩＭＳＩは、ＰＣＳネットワークにおいて用いられるＭＩＮに相当する。本発明の第１実施形態によれば、移動デバイス１０のＳＩＭカード１８には、一時的活性化識別子（ＴＡＩ：temporary activation identifier）２０が予めプログラムされている。ＴＡＩは、ＩＭＳＩおよび／またはＭＩＮでもよい。更に、ＳＩＭカード１８には、ＳＩＭ電子シリアル番号（Ｓ−ＥＳＮ）２２も予めプログラムされており、ＰＣＳネットワークはこれを解釈する、即ち、特定のＳＩＭカードまたはＳＩＭカード販売業者と関連付けることができる。Ｓ−ＥＳＮは一時的電子シリアル番号であり、登録および活性化プロセスにおいて用いられる。また、このＳ−ＥＳＮは、ＰＣＳまたは第２世代ネットワークに対して、ＳＩＭカードが初期無線活性化手続きを必要とすることを明らかにすることもできる。
【００１８】
加えて、ＳＩＭカードには、「ＡＮＳＩ−１３６使用指標」２４も予めプログラムされている。使用指標は、ＳＩＭ上の２ビット・フィールドであり、認証のためにどのＥＳＮをネットワークに送るか、そして報告のためにどのＥＳＮをネットワークに送るかに関して、移動デバイスに指令する。これらの指標は、TR45.2によって公表されたＰＮ−４５８２において規定されており、ＡＮＳＩ登録プロセスの間に、移動デバイス１０の実ＥＳＮではなく、Ｓ−ＥＳＮを報告するように設定されている。移動デバイス１０がＡＮＳＩ−１３６／４１ネットワークに登録すると、移動デバイス１０は活性化ＩＭＳＩ／ＭＩＮおよびＳ−ＥＳＮをＳＩＭ識別子として送信する。
【００１９】
ＰＮ−４７８８では、ＥＳＮ使用指標が、ＡＮＳＩ−１３６使用指標の一部として規定されている。以下のことが規定されている。
サービスｎ１のコード化（ＥＳＮ使用指標）
ｂ２＝０およびｂ１＝０：報告および認証のためにＥＳＮを用いる
ｂ２＝０およびｂ１＝１：報告のためにＥＳＮを用い、認証のためにＳ−ＥＳＮを用いる
本発明によれば、以下の使用指標を更に規定する。
【００２０】
ｂ２＝１およびｂ１＝０：報告および認証のためにＳ−ＥＳＮを用いる
ＳＩＭのＯＡＡの間、ＡＮＳＩ−１３６使用指標２４のフィールドが活性化されて、後の登録のために移動デバイスの実ＥＳＮを送るように、移動デバイス１０に指令する。２ビットのみであるので、使用指標に可能な組み合わせは４通りだけである。これら追加のパラメータは、ＧＡＩＴ  ＳＩＭカード上に常駐するだけで、標準的なＧＳＭディレクトリ上には常駐しない。
【００２１】
本発明の第１実施形態によるワイヤレス・ネットワーク１００を図２に示す。このネットワークは、異なるネットワークの一部を含むこともできる。例えば、いくつかのノードをＰＣＳネットワークの一部とし、他のノードまたはサーバをＧＳＭネットワークの一部とすることもできる。移動デバイス１０は、ＡＮＳＩ−１３６規格（電気通信業協会／電子工業連合−１３６規格（ＴＩＡ／ＥＩＡ−１３６）としても知られている）にしたがって、無線インターフェース（over-the-air interface）を用いて基地局１１２と通信する。基地局１１２は、移動交換局（ＭＳＣ）１１４およびビジタ・ロケーション・レジスタ（ＶＬＲ：visitor location register）１１４と通信する。ＭＳＣ／ＶＬＲ１１４は、公衆電話交換ネットワークにおける中央局交換機と同じ機能性を設け、更に加えて、呼の処理、移動性管理、および無線資源管理も担当する。ＶＬＲ１１４は、ＭＳＣ１１４内部のデータベース機能を実行し、ネットワークによるサービスのために登録されている、外部移動デバイス(non-home mobile device)に関連する一時的レコードを維持する。ＭＳＣ／ＶＬＲ１１４は、メッセージ・センタ（ＭＣ）１１６を介して、テレサービス・サーバ／ＯＴＡＰ１２４と通信する。ＯＴＡＰ１２４は、無線活性化メッセージのフォーマット、格納、および転送を行う。ＯＴＡＰ１２４およびＭＳＣ／ＶＬＲ１１４は、好ましくはカスタマ・サーバ・センタ（ＣＳＣ）１２０を通じて、例えば、ＰＣＳネットワークにおけるＴＩＡ／ＥＩＡ−４１標準プロトコルによって、ホーム・ロケーション・レジスタ（ＨＬＲ）１１８と通信する。ＨＬＲ１１８は、セルラ・ネットワークにおける主要データベースであり、移動ユーザに関する情報を格納する。これは、当該ネットワーク自体の各加入者(home subscriber）のレコードを収容し、移動ディレクトリ番号、加入者の特徴、加入者のステータス、および現在地情報を含む。
【００２２】
ＨＬＲ１１８またはＭＣ１１６が処理するプログラムは、一時的電子シリアル番号を移動デバイス１０から受信し、一時的電子シリアル番号を販売業者と関連付け、加入者識別カード・モジュールの無線活性化プロセッサに活性化通知信号を送信し、加入者識別カード・モジュールの無線活性化プロセッサを用いて、ネットワーク上で移動デバイスを活性化する。
【００２３】
ＭＳＣ／ＶＬＲ１１４は、ＭＣ１１６を介して、ＳＩＭ無線活性化プロセッサ（ＳＯＴＡＰ）１２２と通信する。ＨＬＲ１１８は、カスタマ・サービス・センタ（ＣＳＣ）１２０を介して、ＳＯＴＡＰ１２２と通信する。ネットワーク１００におけるこれらのノード間の通信手段は、各企業固有のものでよく、または公開規格(open standard)を用いてもよい。プロトコルは、ＳＳ７またはＩＰ系とすればよい。エレメントをグループ化する、または個別に放置する物理的手段、およびインターフェースは、企業固有であれ公開であれ、通信業者に委ねられる。
【００２４】
この実施形態の変形では、ＭＳＣ／ＶＬＲ１１４は、ＯＡＡのために、加入者を疑似ＨＬＲ（ＭＣ１１６）上に登録することもできる。この場合、ＭＳＣ１１４からの登録は、ＭＣ１１６に送られ、これによって、ＭＣ１１６はＳ−ＥＳＮまたはＥＳＮを解釈し、通知をそれぞれＳＯＴＡＰ１２２またはＯＴＡＰ１２４に送り処理させる。
【００２５】
移動デバイス１０をネットワーク１００に登録するプロセスの間、ＨＬＲ１１８またはＭＣ１１６は、Ｓ−ＥＳＮデータによって、移動デバイス１０をＳＩＭデバイスとして識別し、該当する販売業者をＳＯＴＡＰ１２２に通知して、ＯＡＡプロセスを開始する。次に、ネットワーク１００は、ＳＩＭ販売業者と関連のあるＳ−ＥＳＮを特定し、当該ＳＩＭカードに対して適正なＯＡＡ手続きを呼び出す。このためには、ＨＬＲ１１８またはＭＣ１１６が、ＳＯＴＡＰ１２２に、ＳＩＭ移動デバイス１０がＰＣＳネットワークに登録していること、およびＳＯＴＡＰ１２２がそのＯＡＡプロセスを開始すべきことを通知すればよい。認証手続きは、当業者には公知であり、ここでは詳しく説明しないが、これをバイパスしてもよい。何故なら、移動デバイスはＳ−ＥＳＮを報告しているからである。登録時におけるＳＩＭの識別によって、ＳＩＭが予備ＯＡＡ状態にある場合、認証手続きをバイパスすることが可能になる。これによって、安全認証鍵を一時的識別情報、または２つの予備ＯＡＡ  ＳＩＭ間で差別化するには十分ではない可能性もある情報に対してマップしなければならないネットワーク１００の負担を軽減する。
【００２６】
好適な実施形態である第１実施形態では、認証手続きをバイパスしたが、ここに記載し特許請求する発明を実施するには、バイパスする必要はない。
【００２７】
その他のネットワーク構成および配置も本発明の範囲に該当し、図１および図２は、その概念を図示したものに限定する意図は全くない。
【００２８】
本発明の第２実施形態を図３に示す。この実施形態では、ネットワーク構成が図示のように変更されていることを除いて、ネットワーク１１０のノードは、図２に示した第１実施形態におけるノードと同様に動作する。この実施形態は、ノード間の通信プロトコルを例示し、図２の第１実施形態におけると同様、ＨＬＲ１１８を、ＭＣ１１６およびＭＳＣ／ＶＬＲ１１４、ならびにカスタマ・サービス・センタ（ＣＳＣ）１２０と直接通信するものとして位置付ける。例えば、ネットワークの種々のノード（ＭＳＣ／ＶＬＲ１１４、ＭＣ１１６およびＨＬＲ１１８）間でシステム間データを送信するには、ＩＴＡ／ＥＩＡ−４１プロトコルを用いることが好ましい。また、ＭＣ１１６およびＭＳＣ／ＶＬＲ１１４間のデータは、ショートメッセージ・サービス（ＳＭＳ）を用いて送信するとよい。このようなメッセージは、ショートメッセージ配信二点間（ＳＭＤＰＰ：short message delivery point-to-point）メッセージとしても知られており、例えば、電子メール、ページ、グラフィックス、英数字等とすることができる。
【００２９】
本発明の第３実施形態を、一例として、図４に示す。この実施形態によれば、ＰＣＳワイヤレス・ネットワークにおいてＳＩＭ使用移動デバイスの活性化を可能にする方法を提案する。この方法は、着脱可能なカードに活性化識別子（ＴＡＩ）、ＳＩＭ電子シリアル番号（Ｓ−ＥＳＮ）およびネットワーク使用指標フィールドをプログラムすること（２００）を含む。ネットワーク使用指標フィールドは、登録の間に活性化電子シリアル番号を報告するために設定する。移動デバイスをＰＣＳネットワークに登録する際、移動デバイスは、ＴＡＩおよびＳ−ＥＳＮをＳＩＭカード識別子として送信する（２０２）。ネットワークは、着脱可能カード販売業者に関連するＳ−ＥＳＮを用いて、ＳＩＭ使用移動デバイスを識別する（２０４）。本発明によれば、認証手続きはバイパスしてもしなくてもよい。好ましくは、認証をバイパスし（２０６）、安全認証鍵を一時的識別情報に対して、または十分に一意ではないため２つの予備ＯＡＡ  ＳＩＭカード間で差別化できない可能性がある情報に対してマッピングしなければならないネットワークの負担を軽減する。ネットワークがステップ２０６の認証バイパス問い合わせに対して「否定」で応答した場合（認証をバイパスしないことを意味する）、認証を実行する（２０８）。
【００３０】
認証（２０８）の後、または認証手続きをバイパスした後、ネットワークは、販売業者ＯＡＡ処理サーバに、ＳＩＭ使用移動デバイスをＰＣＳネットワークに登録することを通知する（２１０）。ネットワークは、相応しいＯＴＡＰまたはＳＯＴＡＰに登録を通知する。次に、適切なプロセッサが移動デバイスの無線活性化手続きを読み出す（２１２）。プロセッサは、開示した本発明の機能を実行可能であれば、公知のコンピュータまたはネットワーク・プロセッサのいずれでもよい。
【００３１】
活性化の後、ネットワークは、移動デバイスに、後の登録のために実電子シリアル番号（ＥＳＮ）を送信するように指令する（２１４）。これを行うには、実ＥＳＮを後から送るように、使用指標を設定する。つまり、ＰＮ−４７８８にしたがって、使用指標をｂ２＝０およびｂ１＝０またはｂ２＝０およびｂ１＝１に設定すればよく、こうして、今後ネットワークに報告する際にこのＥＳＮを使用するように、移動デバイスに指令する。最後に、本方法は、一時的活性化識別子を上書きする（２１６）ことを含む。このように、ＯＡＡが無事完了するまでは、移動デバイスの実ＥＳＮはネットワークに報告されない。
【００３２】
本発明の第４実施形態を図５に示す。これは、第２世代のワイヤレス・デバイスまたは第３世代のワイヤレス・デバイスのいずれかの無線活性化を行う方法の一例を示す。ワイヤレス・デバイスは、このプロセスを開始すると、一時的活性化識別子（ＴＡＩ）を用いてネットワーク上で登録を要求する（３００）。ネットワークは、ＴＡＩを受信し、ＯＡＡ活性化のために一時的加入者プロファイルを作成する（３０２）。ネットワークは、Ｓ−ＥＳＮが報告されていたか否か問い合わせ（３０４）、デバイスが第２世代デバイスかまたは第３世代デバイスか判定を行う。Ｓ−ＥＳＮが報告されていなかった場合、ＯＴＡＰに通知し（３０６）、第２世代の移動デバイスのためのＯＡＡを実行する（３０８）。Ｓ−ＥＳＮが報告されていた場合、プロセスは、認証をバイパスするか否か問い合わせを行う（３１０）。認証をバイパスしない場合、認証を実行する（３１２）。認証をバイパスする場合、プロセスは直ちに先に進み、Ｓ−ＥＳＮに基づいて相応しいＳＯＴＡＰに通知し（３１４）、ＯＡＡを開始する。次いで、ネットワークは、第３世代のＳＩＭのためにＯＡＡを実行する（３１６）。
【００３３】
本発明の実施形態の効果および利点には、この手続きに規格の変更が不要であるという事実が含まれる。ＡＮＳＩ  ＨＬＲプログラミングの変換によって、活性化ＭＩＮまたはＳ−ＥＳＮのいずれかに基づいて、ＯＡＡを必要とするＳＩＭ使用移動デバイスをＳＯＴＡＰにルーティングする。
【００３４】
前述の説明は、多くの具体的な詳細について行ったが、決して本発明の範囲を限定することを意味する訳ではない。他の特許または文書を本開示と組み合わせれば、添付した特許請求の範囲に明記した本発明に対する、それなりの変更または修正に関する情報を読者に与えることもできる。したがって、本発明の範囲は、先に論じた実施形態例によってではなく、添付した特許請求の範囲およびその法的な均等物によって定められるものである。
【図面の簡単な説明】
【図１】
図１は、ＳＩＭカードを有する移動デバイスを示す。
【図２】
図２は、本発明の第１実施形態によるワイヤレス・ネットワークの一例を示す。
【図３】
図３は、本発明の第２実施形態によるシステムの一例を示す。
【図４】
図４は、本発明の第３実施形態によるプロセスの一例を示す。
【図５】
図５は、本発明の第４実施形態によるプロセスの別の例を示す。